(57)【特許請求の範囲】
【請求項１】
第１のネットワークにそれぞれ接続された第１のＷｅｂサーバおよび第２のＷｅｂサーバを備え、
前記第１のＷｅｂサーバが提供するＷｅｂページには前記第２のＷｅｂサーバへのリンクがはられており、
前記第１のネットワークに接続される第１の端末、又は、前記第１のネットワークと第２のネットワークとの間に介在して両ネットワークでそれぞれ使用されるＩＰアドレスのアドレス変換を行うルータを介して前記第２のネットワークに接続された第２の端末のうち何れかの端末から前記第１のＷｅｂサーバの前記Ｗｅｂページにｈｔｔｐ接続された場合に、前記Ｗｅｂページに表示した切替ボタンを選択する操作に応じて、前記Ｗｅｂページ内のリンクタグに記述されるリンク先のＩＰアドレスを、前記第１のネットワークから前記第２のＷｅｂサーバにアクセスする際に使用する第１のＩＰアドレスと、前記第２のネットワークから前記第２のＷｅｂサーバにアクセスする際に使用する第２のＩＰアドレスとに交互に切り替える切替手段を前記第１のＷｅｂサーバに設けたことを特徴とするネットワークシステム。
【発明の詳細な説明】
【技術分野】
【０００１】
本発明は、ネットワークシステムに関するものである。
【背景技術】
【０００２】
従来、マイク付きカメラ部と、マイク付きカメラ部から取り込まれた映像および音声を蓄積する蓄積部と、マイク付きカメラ部から取り込まれた映像を表示するとともに音声を出力する表示部とがＩＰネットワークで接続されたネットワークシステムが提供されている（例えば特許文献１参照）。
【０００３】
このネットワークシステムでは、カメラ部のメモリにおいて、ネットワークドメイン形式で映像と音声の記録ファイルをそれぞれ作成しておき、ＩＰネットワークを通じて所望の記録ファイルを指定することによって、記録ファイルの蓄積或いは表示が行えるようになっている。
【０００４】
上述のネットワークシステムでは、ＩＰネットワークを通じてマイク付きカメラ部にアクセスするしか、映像又は音声の記録ファイルにアクセスすることができないが、例えばプライベートネットワークにカメラ部が接続されている場合に、ＷＡＮ接続された端末からでも、ＬＡＮ接続された端末からでもカメラ部にアクセスしたいという要求があった。
【０００５】
図１は、この種のネットワークシステムの概略的な構成図であり、グローバルＩＰアドレスとプライベートＩＰアドレスとの相互変換を行うＮＡＴ機能を有して、異なるネットワーク（プライベートネットワークＮＴ１とインターネットＮＴ２）間の仲立ちを行う無線アクセスポイント付きブロードバンドルータ４と、無線アクセスポイント機能を備えた第１のＷｅｂサーバ１と、ネットワークカメラからなる第２のＷｅｂサーバ２とを有線又は無線で接続して、プライベートネットワークＮＴ１（第１のネットワーク）を構築している。
【０００６】
第１のＷｅｂサーバ１が提供するＷｅｂページには、第２のＷｅｂサーバ２へのリンクがはられており、プライベートネットワークＮＴ１に接続される第１の端末ＰＣ１、又は、インターネットＮＴ２（第２のネットワーク）に接続される第２の端末ＰＣ２から第２のＷｅｂサーバ２に接続したい場合は、端末ＰＣ１，ＰＣ２に搭載されたブラウザソフトで第１のＷｅｂサーバ１のＷｅｂページを表示させた後、第２のＷｅｂサーバ２へのリンクを選択することで、第２のＷｅｂサーバ２へのアクセスを行うようになっている。
【０００７】
ここで、ブロードバンドルータ４のグローバルＩＰアドレスを（ｇｇｇ．ｇｇｇ．ｇｇｇ．ｇｇｇ）、第１のＷｅｂサーバ１のプライベートＩＰアドレスを（１９２．１６８．０．１００：６０１００）、第２のＷｅｂサーバ２のプライベートＩＰアドレスを（１９２．１６８．０．１０１：６０１０１）とすると、ブロードバンドルータ４では、表１に示すように、インターネット経由で取得したパケットのヘッダに含まれるグローバルＩＰアドレスとプライベートＩＰアドレスとの変換を相互に行っている。
【０００８】
【表１】
0004925322.tif 000002
【特許文献１】特許第３７２９６６０号公報
【発明の開示】
【発明が解決しようとする課題】
【０００９】
上述した図１のネットワークシステムにおいて、端末ＰＣ１から無線ＬＡＮ経由で第１のＷｅｂサーバ１にｈｔｔｐ接続する場合、第２のＷｅｂサーバ２へのリンクを記述したｈｔｍｌファイル（ｈｔｔｐ：１９２．１６８．０．１００／ＰＣ１．ｈｔｍｌ／）のソースコードは図４（ａ）に示す通りであり、リンク先のＩＰアドレスは、プライベートＩＰアドレス：ポート番号（すなわち１９２．１６８．０．１０１：６０１０１）となる。このｈｔｍｌファイルを端末ＰＣ１に搭載されたブラウザソフトで開くと、端末ＰＣ１のモニタには図４（ｂ）に示すようなブラウザ画面Ｐ２が表示される。ここで、端末ＰＣ１が備えるポインティングデバイスやマウスなどの入力装置を用いて、画面Ｐ２中のボタンＢ１０を選択すると、ネットワークカメラからなるＷｅｂサーバ２の映像や音声が第１のＷｅｂサーバ１から無線ＬＡＮ経由で端末ＰＣ１に送信される。
【００１０】
一方、インターネットＮＴ２に接続される端末ＰＣ２から、インターネット経由で第１のＷｅｂサーバ１にｈｔｔｐ接続する場合、第２のＷｅｂサーバ２へのリンクを記述したｈｔｍｌファイル（ｈｔｔｐ：ｇｇｇ．ｇｇｇ．ｇｇｇ．ｇｇｇ／ＰＣ２．ｈｔｍｌ／）のソースコードは図５（ａ）に示す通りであり、リンク先のＩＰアドレスは、グローバルＩＰアドレス：ポート番号（すなわちｇｇｇ．ｇｇｇ．ｇｇｇ．ｇｇｇ：６０１０１）となる。このｈｔｍｌファイルを端末ＰＣ２に搭載されたブラウザソフトで開くと、端末ＰＣ２のモニタには図５（ｂ）に示すようなブラウザ画面Ｐ３が表示される。ここで、端末ＰＣ２が備えるポインティングデバイスやマウスなどの入力装置を用いて、画面Ｐ３中のボタンＢ１１を選択すると、ルータ４のポートフォワーディング機能によるアドレス変換で、グローバルＩＰアドレス（ｇｇｇ．ｇｇｇ．ｇｇｇ．ｇｇｇ：６０１０１）がプライベートＩＰアドレス（１９２．１６８．０．１０１：６０１０１）と変換され、Ｗｅｂサーバ２の映像や音声が第１のＷｅｂサーバ１からインターネット経由で端末ＰＣ２に送信される。
【００１１】
このように、ＬＡＮ接続された端末ＰＣ１から第１のＷｅｂサーバ１にｈｔｔｐ接続する場合と、ＷＡＮ接続された端末ＰＣ２から第１のＷｅｂサーバ１にｈｔｔｐ接続する場合とでは、リンク先のＩＰアドレスが異なるため、端末ＰＣ１，ＰＣ２から第１のＷｅｂサーバ１にアクセスした際には、先ず、図４のＷｅｂページ又は図５のＷｅｂページの何れかを選択するＷｅｂページが表示され、ＬＡＮ接続の場合には操作者が図４のＷｅｂページを、ＷＡＮ接続の場合には操作者が図５のＷｅｂページをそれぞれ選択することで、図４又は図５のＷｅｂページに切り替える必要があった。そのため、端末ＰＣ１，ＰＣ２の操作者には、ネットワークに関する知識がある程度要求されることになり、一般の操作者にとっては操作が難しいという問題がった。
【００１２】
本発明は上記問題点に鑑みて為されたものであり、その目的とするところは、第２のＷｅｂサーバにリンクがはられた第１のＷｅｂサーバに、第１及び第２のＷｅｂサーバが接続された第１のネットワーク、又は、第１のネットワークがルータを介して接続される第２のネットワークを経由してｈｔｔｐ接続する場合に、リンク先の第２のＷｅｂサーバに接続する操作を簡単にしたネットワークシステムを提供することにある。
【課題を解決するための手段】
【００１３】
上記目的を達成するために、本発明は、第１のネットワークにそれぞれ接続された第１のＷｅｂサーバおよび第２のＷｅｂサーバを備え、前記第１のＷｅｂサーバが提供するＷｅｂページには前記第２のＷｅｂサーバへのリンクがはられており、前記第１のネットワークに接続される第１の端末、又は、前記第１のネットワークと第２のネットワークとの間に介在して両ネットワークでそれぞれ使用されるＩＰアドレスのアドレス変換を行うルータを介して前記第２のネットワークに接続された第２の端末のうち何れかの端末から前記第１のＷｅｂサーバの前記Ｗｅｂページにｈｔｔｐ接続された場合に、前記Ｗｅｂページに表示した切替ボタンを選択する操作に応じて、前記Ｗｅｂページ内のリンクタグに記述されるリンク先のＩＰアドレスを、前記第１のネットワークから前記第２のＷｅｂサーバにアクセスする際に使用する第１のＩＰアドレスと、前記第２のネットワークから前記第２のＷｅｂサーバにアクセスする際に使用する第２のＩＰアドレスとに交互に切り替える切替手段を前記第１のＷｅｂサーバに設けたことを特徴とする。
【発明の効果】
【００１４】
本発明によれば、第１の端末から第１のネットワークを経由して第１のＷｅｂサーバにアクセスする場合も、第２の端末から第２のネットワークを経由して第１のＷｅｂサーバにアクセスする場合も同じＷｅｂページが表示され、このＷｅｂページ上に表示された切替ボタンを選択すると、切替手段がリンク先のＩＰアドレスを第１のＩＰアドレスと第２のＩＰアドレスとに交互に切り替えるから、切替ボタンを選択する内に第２のＷｅｂサーバにリンクさせることができる。したがって、端末の操作者は、自分が操作する端末が第１のネットワークに接続されているか或いは第２のネットワークに接続されているかを意識することなく操作を行うことができ、リンク先のＷｅｂサーバに接続する操作を簡単に行えるという効果がある。
【発明を実施するための最良の形態】
【００１５】
以下に本発明の実施の形態を図面に基づいて説明する。
【００１６】
本発明に係るネットワークシステムのシステム構成は、背景技術で説明した図１のシステムと同様であり、プライベートネットワークＮＴ１間の経路制御を行うとともに、グローバルＩＰアドレスとプライベートＩＰアドレスとの相互変換を行うＮＡＴ機能を有して、異なるネットワーク（プライベートネットワークＮＴ１とインターネットＮＴ２）間の中継を行う無線アクセスポイント付きブロードバンドルータ４と、無線アクセスポイント機能を備えた第１のＷｅｂサーバ１と、例えばネットワークカメラからなる第２のＷｅｂサーバ２とを有線又は無線で接続してプライベートネットワークＮＴ１（第１のネットワーク）を構築している。
【００１７】
第１のＷｅｂサーバ１は、Ｗｅｂサーバ機能を備えた、無線アクセスポイント付きのセンシングボードからなり、温度センサ、湿度センサ、日射量センサなどの各種のセンサ（図示せず）の測定データを収集し、ブロードバンドルータ４を介してインターネットＮＴ２に接続されたセンターサーバ（図示せず）に測定データを送信するようになっている。
【００１８】
第２のＷｅｂサーバ２は、例えばＷｅｂサーバ機能を内蔵したカメラ（所謂ネットワークカメラ）からなり、第１のＷｅｂサーバ１が提供するＷｅｂページには、第２のＷｅｂサーバ２へのリンクがはられている。
【００１９】
ここで、プライベートネットワークＮＴ１に接続された第１の端末ＰＣ１やインターネットＮＴ２に接続された第２の端末ＰＣ２から、第１のＷｅｂサーバ１にｈｔｔｐ接続した場合に、第１のＷｅｂサーバ１から提供されるＷｅｂページには、第１のＷｅｂサーバ１に接続された各種センサの測定データを表示するＷｅｂページへのリンクや、第２のＷｅｂサーバ２へのリンクがはられており、このＷｅｂページ上で第２のＷｅｂサーバ２へのリンクを選択すると、第２のＷｅｂサーバ２が提供するＷｅｂページに切り替えることができるようになっている。尚、ブロードバンドルータ４のグローバルＩＰアドレスを（ｇｇｇ．ｇｇｇ．ｇｇｇ．ｇｇｇ）、第１のＷｅｂサーバ１のプライベートＩＰアドレスを（１９２．１６８．０．１００：６０１００）、第２のＷｅｂサーバ２のプライベートＩＰアドレスを（１９２．１６８．０．１０１：６０１０１）とすると、ブロードバンドルータ４では、上記の表１に示すように、ＬＡＮ経由又はＷＡＮ経由で取得したパケットのデスティネーションアドレスを、グローバルＩＰアドレスからプライベートＩＰアドレス、或いは、プライベートＩＰアドレスからグローバルＩＰアドレスへと相互に変換している。
【００２０】
上述のように、プライベートネットワークＮＴ１に接続される第１の端末ＰＣ１、又は、インターネットＮＴ２（第２のネットワーク）に接続される第２の端末ＰＣ２から第２のＷｅｂサーバ２に接続して、第２のＷｅｂサーバ２が提供するコンテンツ（本実施形態ではカメラの映像）を受け取る場合は、端末ＰＣ１，ＰＣ２に搭載されたブラウザソフトで第１のＷｅｂサーバ１にｈｔｔｐ接続して、第２のＷｅｂサーバ２へのリンクがはられたＷｅｂページを表示させた後、このＷｅｂページから第２のＷｅｂサーバ２へのリンクを選択することで、第２のＷｅｂサーバの提供するＷｅｂページに切り替えるのであるが、第１の端末ＰＣ１から無線ＬＡＮ経由で第１のＷｅｂサーバ１にｈｔｔｐ接続する場合、第２のＷｅｂサーバ２へのリンクを記述したｈｔｍｌファイルのソースコードは図２（ｂ）に示す通りであり、リンク先のＩＰアドレスは、プライベートＩＰアドレス：ポート番号（すなわち１９２．１６８．０．１０１：６０１０１）となる。一方、第２の端末ＰＣ２から無線ＬＡＮ経由で第１のＷｅｂサーバ１にｈｔｔｐ接続する場合、第２のＷｅｂサーバ２へのリンクを記述したｈｔｍｌファイルのソースコードは図２（ｃ）に示す通りであり、リンク先のＩＰアドレスは、グローバルＩＰアドレス：ポート番号（すなわちｇｇｇ．ｇｇｇ．ｇｇｇ．ｇｇｇ：６０１０２）となる。
【００２１】
図２（ａ）は上記のＷｅｂページを端末ＰＣ１，ＰＣ２のブラウザソフトで表示したＧＵＩ画面Ｐ１の例図であり、画面中央には第２のＷｅｂサーバ２へのリンクを選択する選択ボタンＢ１や各種のセンサを選択するための選択ボタンＢ２〜Ｂ４を表示するとともに、画面の下側には第２のＷｅｂサーバ２のリンク先のＩＰアドレスを切り替えるための切替ボタンＢ５を表示してあり、切替ボタンＢ５には「ＯＮ／ＯＦＦ」なる文字が表示されている。この切替ボタンＢ５は、第２のＷｅｂサーバ２へのリンク先のＩＰアドレスを、プライベートネットワークＮＴ１からアクセスする際に使用する第１のＩＰアドレス（１９２．１６８．０．１０１：６０１０１）と、インターネットＮＴ２からアクセスする際に使用する第２のＩＰアドレス（ｇｇｇ．ｇｇｇ．ｇｇｇ．ｇｇｇ：６０１０２）とに交互に切り替えるために用いられ、端末ＰＣ１又はＰＣ２で切替ボタンＢ５を選択する操作が行われる毎に、第１のＷｅｂサーバ１の信号処理部１ａ（切替手段）が、上記Ｗｅｂページのリンク先アドレスを記述したソースコードを、図２（ｂ）に示すソースコード、又は、図２（ｃ）に示すソースコードに交互に差し替えている。なお、第２のＷｅｂサーバ２へのリンクがはられたＷｅｂページＰ１には、リンク先のアドレスそのものは表示されていないので、端末ＰＣ１，ＰＣ２において切替ボタンＢ５によりリンク先のアドレスを切り替える操作を行ったとしても、ブラウザに表示される画面は見かけ上同じになる。
【００２２】
ここで、プライベートネットワークＮＴ１に接続された端末ＰＣ１から第１のＷｅｂサーバ１にｈｔｔｐ接続し、第２のＷｅｂサーバ２へのリンクがはられたＷｅｂページ（図２（ａ）参照）を表示させた場合に、第２のＷｅｂサーバ２へのリンク先のアドレスが第１のＩＰアドレスになっていれば、選択ボタンＢ１を操作すると、端末ＰＣ１からＬＡＮ経由で第２のＷｅｂサーバ２にアクセスして、第２のＷｅｂサーバ２が提供するコンテンツ（例えばカメラの映像）を受け取ることができる。
【００２３】
一方、端末ＰＣ１から第１のＷｅｂサーバ１にｈｔｔｐ接続して、第２のＷｅｂサーバ２へのリンクがはられたＷｅｂページを表示させた場合、第２のＷｅｂサーバ２へのリンク先のアドレスが第２のＩＰアドレスになっていると、端末ＰＣ１で選択ボタンＢ１を選択する操作を行っても、端末ＰＣ１から第２のＷｅｂサーバ２へアクセスすることができず、第２のＷｅｂサーバ２が提供するコンテンツを取得することができない。そこで、図２のＷｅｂページには、例えば「選択ボタンＢ１を操作してもＷｅｂサーバ２へリンクしない場合はＯＮ／ＯＦＦボタンを押した後、再度選択ボタンＢ１を押して下さい」といった操作説明を表示してあり、この操作説明に従って端末ＰＣ１を操作するユーザがＯＮ／ＯＦＦボタン（切替ボタンＢ５）の選択操作を行うと、端末ＰＣ１から第１のＷｅｂサーバ１にリンク先の切替要求が送信される。この時、第１のＷｅｂサーバ１の信号処理部１ａは、端末ＰＣ１からの切替要求に応じてＷｅｂページのリンク先のアドレスを第１のＩＰアドレスに切り替えるのであるが、端末ＰＣ１に表示されるブラウザ画面は変化しないため、端末ＰＣ１を操作するユーザは、ＩＰアドレスの切り替えを特に意識しなくても、リンク先のＩＰアドレスを第１のＩＰアドレスに変更する操作を行うことができる。切替ボタンＢ５の操作後に、端末ＰＣ１を操作するユーザが選択ボタンＢ１の選択操作を行うと、端末ＰＣ１からＬＡＮ経由で第２のＷｅｂサーバ２にｈｔｔｐ接続され、第２のＷｅｂサーバ２が提供するコンテンツ（カメラの映像）を受け取ることができる。
【００２４】
また、インターネットＮＴ２に接続された端末ＰＣ２からルータ４を介して第１のＷｅｂサーバ１にｈｔｔｐ接続し、第２のＷｅｂサーバ２へのリンクがはられたＷｅｂページ（図２（ａ）参照）を表示させた場合に、第２のＷｅｂサーバ２へのリンク先のアドレスが第２のＩＰアドレスになっていれば、選択ボタンＢ１を操作すると、第２の端末ＰＣ２から送られたパケットのデスティネーションアドレス（ｇｇｇ．ｇｇｇ．ｇｇｇ．ｇｇｇ：６０１０１）がルータ４によって（１９２．１６８．１０１：６０１０１）に変換されるので、第２のＷｅｂサーバ２にアクセスして、第２のＷｅｂサーバ２が提供するコンテンツ（カメラの映像）を受け取ることができる。
【００２５】
一方、端末ＰＣ２から第１のＷｅｂサーバ１にｈｔｔｐ接続して、第２のＷｅｂサーバ２へのリンクがはられたＷｅｂページを表示させた場合、第２のＷｅｂサーバ２へのリンク先のアドレスが第１のＩＰアドレスになっていると、端末ＰＣ２で選択ボタンＢ１を選択する操作を行っても、端末ＰＣ２から第２のＷｅｂサーバ２へアクセスすることができず、第２のＷｅｂサーバ２が提供するコンテンツを取得することができない。ここで、上述と同様に、図２のＷｅｂページに表示された操作説明に従って、端末ＰＣ２を操作するユーザが切替ボタンＢ５を選択する操作を行うと、端末ＰＣ２から第１のＷｅｂサーバ１にリンク先の切替要求が送信される。この時、第１のＷｅｂサーバ１の信号処理部１ａは、端末ＰＣ１からの切替要求に応じてＷｅｂページのリンク先のアドレスを第２のＩＰアドレスに切り替えるのであるが、端末ＰＣ２に表示されるブラウザ画面は変化しないため、端末ＰＣ２を操作するユーザは、ＩＰアドレスの切り替えを特に意識しなくても、リンク先のＩＰアドレスを第２のＩＰアドレスに変更する操作を行える。そして、切替ボタンＢ５の操作後に、端末ＰＣ２の操作者が選択ボタンＢ１を選択する操作を行うと、端末ＰＣ２から送られたパケットのデスティネーションアドレス（ｇｇｇ．ｇｇｇ．ｇｇｇ．ｇｇｇ：６０１０１）がルータ４によって（１９２．１６８．１０１：６０１０１）に変換されるので、第２のＷｅｂサーバ２にアクセスして、第２のＷｅｂサーバ２が提供するコンテンツ（カメラの映像）を受け取ることができる。
【００２６】
上述のように、本実施形態のシステムでは、第１の端末ＰＣ１からプライベートネットワークＮＴ１（第１のネットワーク）を経由して第１のＷｅｂサーバ１にアクセスする場合も、第２の端末ＰＣ２からインターネットＮＴ２（第２のネットワーク）を経由して第１のＷｅｂサーバ１にアクセスする場合も同じＷｅｂページが表示され、このＷｅｂページ上に表示された切替ボタンＢ５を選択すると、第１のＷｅｂサーバ１の信号処理部１ａが、選択ボタンＢ１のリンク先のＩＰアドレスを、ＬＡＮ経由でアクセスする場合に使用する第１のＩＰアドレスと、ＷＡＮ経由でアクセスする場合に使用する第２のＩＰアドレスとに交互に切り替えるから、切替ボタンＢ５を選択する内にリンク先のアドレスを正しいアドレスに切り替えることができる。したがって、端末ＰＣ１又はＰＣ２の操作者は、自分が操作する端末ＰＣ１，ＰＣ２がプライベートネットワークＮＴ１に接続されているか、或いは、インターネットＮＴ２に接続されているかを意識することなく操作を行うことができ、ネットワークについて詳しい知識を持たないユーザでも、リンク先のＷｅｂサーバ２に接続する操作を簡単に行うことができる。
【００２７】
ここで、リンク先のＩＰアドレスを切り替える動作をまとめると図３のフローチャートのようになる。Ｗｅｂページのリンク先のＩＰアドレスＳとして、第１のＩＰアドレスが設定されている状態を０、第２のＩＰアドレスが設定されている状態を１とし、デフォルトではリンク先のＩＰアドレスとして第１のＩＰアドレスが設定されるものとする。第１のＷｅｂサーバ１の切替手段１ａが処理を開始すると（図３のステップＳ１）、リンク先のＩＰアドレスの初期値として第１のＩＰアドレスを与えており、この状態ではＳ＝０となっている（ステップＳ２）。その後、信号処理部１ａは選択ボタンＢ１〜Ｂ４や切替ボタンＢ５の選択操作を監視しており（ステップＳ３）、切替ボタンＢ５が選択されると、Ｓ＝Ｂａｒ（Ｓ）とする。ここにおいて、Ｂａｒ（Ｓ）とは、状態Ｓの値を０→１又は１→０へ反転させることを意味しており、切替ボタンＢ５が選択される毎に、Ｗｅｂサーバ１の信号処理部１ａが、リンク先のＩＰアドレスを、第１のＩＰアドレス又は第２のＩＰアドレスに交互に切り替えるようになっている。したがって、第１の端末ＰＣ１から第１のネットワーク（ＬＡＮ）を経由して第１のＷｅｂサーバ１にアクセスする場合も、第２の端末ＰＣ２から第２のネットワーク（ＷＡＮ）を経由して第１のＷｅｂサーバ１にアクセスする場合も同じＷｅｂページが表示されることになり、このＷｅｂページ上に表示された切替ボタンＢ５を選択すると、信号処理部１ａがリンク先のＩＰアドレスを第１のＩＰアドレスと第２のＩＰアドレスとに交互に切り替えるから、切替ボタン５を選択する内にリンク先のＩＰアドレスを正しいＩＰアドレスに切り替えることができる。よって、端末ＰＣ１，ＰＣ２の操作者は、自分が操作する端末ＰＣ１，ＰＣ２が第１のネットワークに接続されているか或いは第２のネットワークに接続されているかを意識することなく操作を行うことができ、リンク先のＷｅｂサーバ２に接続する操作を簡単に行うことができる。
【００２８】
ところで、上述のネットワークシステムは、例えば農業分野で栽培状況を管理する目的や畜産業で家畜の育成状況を管理するために用いられ、第１のＷｅｂサーバ１により、第１のＷｅｂサーバ１に接続された各種センサの計測データを収集するとともに、第２のＷｅｂサーバ２が内蔵するカメラで周囲を撮影しており、インターネットＮＴ２に接続されたセンターサーバ（図示せず）から第１のＷｅｂサーバ１にアクセスすることで、第１のＷｅｂサーバ１が収集した測定データや、第２のＷｅｂサーバ２で撮影された映像データを収集したり、蓄積しておくことができる。また、ＬＡＮ経由で接続される端末ＰＣ１や、ＷＡＮ経由で接続される端末ＰＣ２から第１のＷｅｂサーバ１にアクセスすることで、第１のＷｅｂサーバ１が収集した測定データや、第２のＷｅｂサーバ２で撮影された映像データをモニタすることもできる。上述のようにＷｅｂサーバ１のＷｅｂページには、Ｗｅｂサーバ２へのリンクがはられており、端末ＰＣ１からＬＡＮ経由で、或いは、端末ＰＣ２からＷＡＮ経由でＷｅｂサーバ２に接続したい場合は、まずＷｅｂサーバ１にアクセスし、Ｗｅｂページにはられたリンクを選択することで、Ｗｅｂサーバ２へジャンプするようになっており、Ｗｅｂサーバ１とＷｅｂサーバ２とで各種センサの測定データおよびカメラの映像を収集するフィールドサーバ３を構成している。
【００２９】
なお、本システムの適用分野は農業分野や畜産分野に限定されるものではなく、プライベートネットワークＮＴ１（第１のネットワーク）とインターネットＮＴ２（第２のネットワーク）の両方からＷｅｂサーバ１，２にアクセスできるようなシステムであれば、様々な用途に適用することができる。
【図面の簡単な説明】
【００３０】
【図１】本実施形態のネットワークシステムの概略図である。
【図２】（ａ）は本実施形態のネットワークシステムにおいて、ＬＡＮ接続又はＷＡＮ接続された端末からｈｔｔｐ接続する場合にＷｅｂサーバから送られるｈｔｍｌファイルを端末のブラウザソフトで表示した画面の例図、（ｂ）（ｃ）はこのｈｔｍｌファイルのソースコードを概略的に示した説明図である。
【図３】同上の動作を説明するフローチャートである。
【図４】（ａ）はＬＡＮ接続された端末からｈｔｔｐ接続する場合にＷｅｂサーバから送られるｈｔｍｌファイルのソースコードを概略的に示した説明図、（ｂ）はこのｈｔｍｌファイルを端末のブラウザソフトで表示した画面の例図である。
【図５】（ａ）はＷＡＮ接続された端末からｈｔｔｐ接続する場合にＷｅｂサーバから送られるｈｔｍｌファイルのソースコードを概略的に示した説明図、（ｂ）はこのｈｔｍｌファイルを端末のブラウザソフトで表示した画面の例図である。
【符号の説明】
【００３１】
１  第１のＷｅｂサーバ
１ａ  信号処理部
２  第２のＷｅｂサーバ
３  フィールドサーバ
４  ルータ
ＰＣ１  第１の端末
ＰＣ２  第２の端末
ＮＴ１  プライベートネットワーク（第１のネットワーク）
ＮＴ２  インターネット（第２のネットワーク）
【図１】
0004925322.tif 000003
【図２】
0004925322.tif 000004
【図３】
0004925322.tif 000005
【図４】
0004925322.tif 000006
【図５】
0004925322.tif 000007